(57)【要約】【課題】セパレータの端部を利用する内装パネルの取り付けで、隣接する内装パネルの隣接箇所と対応してセパレータの端部が配置されていない場合にも内装パネルを取り付けることができ、効率的且つ容易に施工作業を行うことができる。【解決手段】所定間隔を開けて配置される鋼殻１ｂ・１ｂと、鋼殻１ｂ・１ｂ間に設けられ、少なくとも一方の端部２ａが鋼殻１ｂから外側に突出するセパレータ２と、隣接する耐火パネル１０に跨って設けられ、耐火パネル１０の各々に対して定置して取り付けられるパネル支持具８と、セパレータ２の突出する端部２ａに対して固定され、鋼殻１ｂと逆側に突出片を有する取付補助部とを備え、パネル支持具８の鋼殻１ｂ側に取付基板８１と係止片８５で構成される挟持部が設けられ、この挟持部で差込まれた取付補助部の突出片を挟持することにより、パネル支持具８と取付補助部とが取り付けられる鋼殻構造物の内装パネル取付構造。【選択図】図３
2011157746.tif 000002
【特許請求の範囲】
【請求項１】
所定間隔を開けて配置される鋼殻と、
前記鋼殻間に設けられ、少なくとも一方の端部が前記鋼殻から外側に突出するセパレータと、
隣接する内装パネルに跨って設けられ、前記内装パネルの各々に対して定置して取り付けられるパネル支持具と、
前記セパレータの前記突出する端部に対して固定され、前記鋼殻と逆側に突出片を有する取付補助部とを備え、
前記パネル支持具の前記鋼殻側に挟持部が設けられ、前記挟持部で差込まれた前記突出片を挟持することにより、前記パネル支持具と前記取付補助部とが取り付けられることを特徴とする鋼殻構造物の内装パネル取付構造。
【請求項２】
前記パネル支持具の前記挟持部を、前記内装パネルのパネル面に略並行に設けられる取付基板と、前記内装パネルと逆側で前記取付基板に対して略並行に形成される係止片とから構成し、
前記突出片を前記内装パネルのパネル面と略並行に配置することを特徴とする請求項１記載の鋼殻構造物の内装パネル取付構造。
【請求項３】
前記取付補助部を、前記セパレータの前記突出する端部に一方の突出片が固定され、前記パネル支持具の前記挟持部に他方の突出片が差込まれる一体型の断面視略Ｚ字形状の補助具とすることを特徴とする請求項１又は２記載の鋼殻構造物の内装パネル取付構造。
【請求項４】
所定間隔を開けて配置される鋼殻と、
前記鋼殻間に設けられ、少なくとも一方の端部が前記鋼殻から外側に突出するセパレータとから構成される鋼殻構造物に対し、
隣接する内装パネルに跨って設けられ、前記内装パネルの各々に対して定置して取り付けられるパネル支持具を定置する際に、
前記セパレータの前記突出する端部に対して固定され、前記鋼殻と逆側に突出片を有する取付補助部の前記突出片を、前記パネル支持具の前記鋼殻側に設けられる挟持部に差し込み、前記挟持部の前記突出片に対する挟持により、前記パネル支持具と前記取付補助部を取り付ける工程を備えることを特徴とする鋼殻構造物の内装パネル施工方法。
【発明の詳細な説明】
【技術分野】
【０００１】
本発明は、所定間隔を開けて配置される鋼殻間にセパレータが設けられる鋼殻構造物に内装パネルを取り付ける鋼殻構造物の内装パネル取付構造及び内装パネル施工方法に関する。
【背景技術】
【０００２】
従来、所定間隔を開けて配置される鋼殻間にセパレータが設けられる鋼殻構造物として鋼殻沈埋トンネルが知られている。鋼殻沈埋トンネルは、所定間隔を開けて配置される鋼殻をセパレータで連結することにより、内外二重の鋼殻を有する箱状の鋼殻体を構成し、この鋼殻体を成形用型枠として両側の鋼殻間にコンクリートやモルタル等の固結材を充填してトンネル構造体を構成し、このトンネル構造体を海底等に順次沈下させて接続することにより、長尺のトンネル空間を形成するものである。
【０００３】
このような鋼殻沈埋トンネルの内面には、耐火パネル等の内装パネルを取り付けることが一般的に行われている。鋼殻沈埋トンネルの内面への内装パネルの取り付けは、例えば特許文献１のようにセパレータの端部を利用して行われる。この取付構造では、トンネル空間側に突出するセパレータの端部に左右対称の断面視Ω字形状の補助金具が固定され、その補助金具の両端部にコ字形基部の両側に差込片を有するパネル支持金具が固定され、支持金具の差込片を内装パネルの背面とその背面に設けた係止金具との間に挿入嵌合されている。
【先行技術文献】
【特許文献】
【０００４】
【特許文献１】特開２００８−８２０５２号公報
【発明の概要】
【発明が解決しようとする課題】
【０００５】
ところで、上記鋼殻沈埋トンネルの内面への内装パネルの取り付けは、隣接する内装パネルの隣接箇所と対応してセパレータの端部が配置されることが必要になるが、セパレータは鋼殻体を製造する時点ですでに配置が決まっているため、後から変更することはできない。そのため、セパレータを利用する内装パネルの取り付けで、セパレータが丁度良い位置に配置されていない場合にも、効率的且つ容易に施工作業を行うことができる構成が求められている。
【０００６】
本発明は上記課題に鑑み提案するものであって、セパレータの端部を利用する内装パネルの取り付けで、隣接する内装パネルの隣接箇所と対応してセパレータの端部が配置されていない場合にも内装パネルを取り付けることができ、効率的且つ容易に施工作業を行うことができる。
【課題を解決するための手段】
【０００７】
本発明の鋼殻構造物の内装パネル取付構造は、所定間隔を開けて配置される鋼殻と、前記鋼殻間に設けられ、少なくとも一方の端部が前記鋼殻から外側に突出するセパレータと、隣接する内装パネルに跨って設けられ、前記内装パネルの各々に対して定置して取り付けられるパネル支持具と、前記セパレータの前記突出する端部に対して固定され、前記鋼殻と逆側に突出片を有する取付補助部とを備え、前記パネル支持具の前記鋼殻側に挟持部が設けられ、前記挟持部で差込まれた前記突出片を挟持することにより、前記パネル支持具と前記取付補助部とが取り付けられることを特徴とする。
前記構成では、セパレータの端部に取付補助部を設け、その突出片を挟持部に差し込む取り付けにより、隣接する内装パネルの隣接箇所と対応してセパレータの端部が配置されていない場合にも、パネル支持具を任意の位置に取り付けて内装パネルを取り付けることができ、効率的且つ容易に施工作業を行うことができる。また、パネル支持具の挟持部で取付補助部の突出片を挟持して取り付けることにより、セパレータの端部を利用する内装パネルの取り付けで、固定用の部品を減らし、容易且つスピーディな施工作業を可能にすることができる。また、取付補助部にパネル支持具と固定するためのボルト挿入孔を形成する必要がなく、部材の加工作業の労力を低減することができる。
【０００８】
本発明の鋼殻構造物の内装パネル取付構造は、前記パネル支持具の前記挟持部を、前記内装パネルのパネル面に略並行に設けられる取付基板と、前記内装パネルと逆側で前記取付基板に対して略並行に形成される係止片とから構成し、前記突出片を前記内装パネルのパネル面と略並行に配置することを特徴とする。
前記構成では、パネル支持具や内装パネルをより安定して設置することができる。
【０００９】
本発明の鋼殻構造物の内装パネル取付構造は、前記取付補助部を、前記セパレータの前記突出する端部に一方の突出片が固定され、前記パネル支持具の前記挟持部に他方の突出片が差込まれる一体型の断面視略Ｚ字形状の補助具とすることを特徴とする。
前記構成では、例えば取付補助部をブラケットと補助具とこれらを固定するボルト、ナット等で構成する場合に必要になるブラケット或いは補助具とボルト、ナット等を不要にすることができ、一層部品点数を減らし、より容易且つスピーディな施工作業が可能となる。
【００１０】
本発明の鋼殻構造物の内装パネル施工方法は、所定間隔を開けて配置される鋼殻と、前記鋼殻間に設けられ、少なくとも一方の端部が前記鋼殻から外側に突出するセパレータとから構成される鋼殻構造物に対し、隣接する内装パネルに跨って設けられ、前記内装パネルの各々に対して定置して取り付けられるパネル支持具を定置する際に、前記セパレータの前記突出する端部に対して固定され、前記鋼殻と逆側に突出片を有する取付補助部の前記突出片を、前記パネル支持具の前記鋼殻側に設けられる挟持部に差し込み、前記挟持部の前記突出片に対する挟持により、前記パネル支持具と前記取付補助部を取り付ける工程を備えることを特徴とする。
前記構成では、セパレータの端部に取付補助部を設け、その突出片を挟持部に差し込む取り付けにより、隣接する内装パネルの隣接箇所と対応してセパレータの端部が配置されていない場合にも、パネル支持具を任意の位置に取り付けて内装パネルを取り付けることができ、効率的且つ容易に施工作業を行うことができる。また、パネル支持具の挟持部で取付補助部の突出片を挟持して取り付けることにより、セパレータの端部を利用する内装パネルの取り付けで、固定用の部品を減らし、容易且つスピーディな施工作業を可能にすることができる。また、取付補助部にパネル支持具と固定するためのボルト挿入孔を形成する必要がなく、部材の加工作業の労力を低減することができる。
【発明の効果】
【００１１】
本発明の鋼殻構造物の内装パネル取付構造或いは、内装パネル施工方法は、隣接する内装パネルの隣接箇所と対応してセパレータの端部が配置されていない場合にも、パネル支持具を任意の位置に取り付けて内装パネルを取り付けることができ、効率的且つ容易に施工作業を行うことができる。また、セパレータの端部を利用する内装パネルの取り付けで、固定用の部品を減らし、容易且つスピーディな施工作業を可能にすることができる。また、取付補助部にパネル支持具と固定するためのボルト挿入孔を形成する必要がなく、部材の加工作業の労力を低減することができる。
【図面の簡単な説明】
【００１２】
【図１】本発明による第１実施形態の鋼殻構造物の内装パネル取付構造が適用される鋼殻構造物（鋼殻沈埋トンネル）の横断正面図。
【図２】（ａ）〜（ｃ）は図１のａ〜ｃ部の拡大図。
【図３】図２（ｂ）及び図２（ｃ）のｄ部の拡大図。
【図４】（ａ）は第１実施形態におけるパネル支持具の斜視図、（ｂ）は第１実施形態における補助具とパネル支持具の取付を説明する斜視説明図。
【図５】本発明による第２実施形態の鋼殻構造物の内装パネル取付構造における図３に相当する部位の拡大図。
【図６】（ａ）、（ｂ）は本発明による変形例のパネル支持具の斜視図。
【図７】第１実施形態の変形例の図２（ｂ）及び図２（ｃ）のｄ部に相当する部位の拡大図。
【発明を実施するための形態】
【００１３】
〔第１実施形態の鋼殻構造物の内装パネル取付構造及び内装パネル施工方法〕
本発明による第１実施形態の鋼殻構造物の内装パネル取付構造及び内装パネル施工方法について説明する。図１は第１実施形態の鋼殻構造物の内装パネル取付構造が適用される鋼殻構造物（鋼殻沈埋トンネル）の横断正面図、図２（ａ）〜（ｃ）は図１のａ〜ｃ部の拡大図。図３は図２（ｂ）及び図２（ｃ）のｄ部の拡大図である。
【００１４】
第１実施形態の鋼殻構造物の内装パネル取付構造が設けられる鋼殻構造物は、図１及び図２に示す鋼殻沈埋トンネル１であり、鋼殻沈埋トンネル１では、鋼板等で形成した断面長方形状の外側の鋼殻１ａ内に、鋼板等で形成した複数個の鋼殻１ｂを、それぞれ所定の間隔をおいて配置し、その内外方向及び横方向で隣り合う鋼殻１ｂ・１ａ、鋼殻１ｂ・１ｂ間にコンクリートやモルタル等の固結材１ｃを充填し、内部にトンネル空間Ｓ１〜Ｓ５を有するトンネル構造体Ｔを構成している。そして、トンネル構造体Ｔを海底等に順次沈下させ、これを連結ボルト等で順次接続してトンネル空間Ｓ１〜Ｓ５をそれぞれ連続させ、鋼殻沈埋トンネル１が形成される。
【００１５】
内外方向及び横方向で隣り合う鋼殻１ｂ・１ａ、鋼殻１ｂ・１ｂ間には、図２及び図３に示すように、棒状のセパレータ２が設けられており、セパレータ２は、鋼殻１ｂ或いは鋼殻１ａの面方向の縦横に所定間隔をおいて多数設けられている。各セパレータ２には、両側の端部２ａ・２ａにそれぞれ雄ねじとなる所定長さの螺子溝２ｂが形成されている。鋼殻１ｂ・１ａ間に設けられるセパレータ２では、一方の端部２ａが一方側の鋼殻１ｂを貫通して外側であるトンネル空間側に突出し、その螺子溝２ｂにワッシャー４１を介してナット４が螺合され、ナット４で鋼殻１ｂを外側から押さえていると共に、他方の端部２ａが他方側の鋼殻１ａに溶接等で固着されたナット３にねじ込まれている。また、鋼殻１ｂ・１ｂ間に設けられるセパレータ２では、一方の端部２ａが一方側の鋼殻１ｂを貫通して外側であるトンネル空間側に突出していると共に、他方の端部２ａが他方側の鋼殻１ｂを貫通して外側であるトンネル空間側に突出しており、各端部２ａの螺子溝２ｂにワッシャー４１を介してそれぞれナット４が螺合され、ナット４で鋼殻１ｂを外側から押さえている。このセパレータ２による間隔保持により、固結材１ｃを充填する際の圧力で鋼殻１ｂ、１ａがトンネル空間Ｓ１〜Ｓ５側又はトンネル構造体Ｔの外側に孕み出すことを防止している。
【００１６】
更に、所定位置における鋼殻１ｂ・１ｂ間に設けられるセパレータ２の端部２ａには、断面視略Ｌ字形状で短尺のブラケット５とブラケット５に固定される断面視略Ｌ字形状で長尺棒状の補助具６とが設けられる。尚、ブラケット５と補助具６は、セパレータ２の突出する端部２ａに対して固定され、鋼殻１ｂと逆側に突出片に相当する後述の他片６２を有する取付補助部を構成する。ブラケット５は、一片５１と他片５２を有する所要強度を有する金属製等であり、その一片５１には図示省略する貫通孔にセパレータ２の端部２ａが貫通して設けられ、鋼殻１ｂとナット４及びワッシャー４１とで一片５１が挟持固定されていると共に、その他片５２には図示省略する貫通孔が形成されている。
【００１７】
補助具６は、図３に示すように、一片６１と他片６２を有する所要強度を有する金属製等で、その一片６１には図示省略する貫通孔が形成されており、一片６１はブラケット５の他片５２に重ねて配置され、図示例では他片５２の上面側に重ねて配置されて、取付補助部の突出片に相当する補助具６の他片６２が耐火パネル１０のパネル面に略並行に配置される。そして、対応配置される一片６１と他片５２の貫通孔にボルト７１が貫通され、ボルト７１及びこれにワッシャー７３を介して螺合されるナット７２とで一片６１と他片５２を挟持し、ブラケット５と補助具６とが固定され、ブラケット５と補助具６は全体として断面視略Ｚ字形状に構成される。また、補助具６の一片６１は、セパレータ２と並列配置で鋼殻１ｂ・１ｂ間に設けられる別のセパレータ２の端部２ａに設けられているブラケット５にも同様に固定され、換言すれば補助具６はセパレータ２・２の端部２ａ・２ａ或いは３個以上のセパレータ２の端部２ａに架橋するようにして設けられる。
【００１８】
補助具６の他片６２には、隣接する内装パネルである耐火パネル１０・１０に跨って設けられ、耐火パネル１０の各々に対して定置して取り付けられるパネル支持具８が取り付けられる。パネル支持具８は、所要強度を有する金属製等で、図３及び図４に示すように、断面視で概略Ω字形状の部材であり、耐火パネル１０のパネル面と略並行に設けられる取付基板８１と、取付基板８１の両側端縁からそれぞれ略直角に屈曲して耐火パネル１０側に延びる内側突出部８２ａ、８２ｂと、内側突出部８２ａ、８２ｂの各端縁から略直角に屈曲して外側に延びる差込片８３ａ、８３ｂとを有し、一方の内側突出部８２ａ、差込片８３ａは中央部分に形成されず、両側に一対で形成されている。更に、前記中央部分においては、取付基板８１の端縁から略直角に屈曲して内側突出部８２ａと逆側に延びる外側突出部８４と、外側突出部８４の端縁から略直角に屈曲して取付基板７１側に延びる係止片８５とが形成され、耐火パネル１０と逆側で取付基板８１に対して略並行に形成される係止片８５と、これに対向する取付基板８１とで、鋼殻１ｂ側に設けられる挟持部が構成される。尚、外側突出部８４及び係止片８５と、内側突出部８２ａ及び差込片８３ａとは、例えば板材のこれらの境目になる箇所に切込を形成し、折り曲げて形成する。
【００１９】
パネル支持具８の取付基板８１と係止片８５との間には、補助具６の他片６２が差し込まれ、取付基板８１と係止片８５とで他片６２を挟持することにより、パネル支持具８と補助具８とが取り付けられ、換言すればパネル支持具８と取付補助部とが取り付けられる。尚、パネル支持具８では、取付基板８１とこれに対向する板状の係止片８５により、挟持する他片６２に対する接触面積を増加させ、他片６２を安定して保持することができる。また、取付基板８１と係止片８５とで他片６２を挟んでいる領域の長さ（図３の上下方向の長さ）は、例えば耐火パネル１０の厚さが２７ｍｍ程度の場合、３０〜３５ｍｍ程度とすると、他片６２を安定して保持することができて良好である。
【００２０】
そして、本実施形態では、図１の左右両側の非常用通路として用いられるトンネル空間Ｓ１、Ｓ５を除くトンネル空間Ｓ１〜Ｓ４の内面に、内装パネルである耐火パネル１０を取り付ける。尚、トンネル空間の内面の底部に、道路等を形成するためにコンクリートを打設する場合には、コンクリートがトンネル構造体Ｔの耐火被覆を兼ねるので、底部には耐火パネル１０を取り付ける必要はない。
【００２１】
耐火パネル１０には、パネル支持具８の取付位置に対応して背面側の四隅に係止具１１が１つずつ設けられている。係止具１１は、全体として略帯板状に形成され、その両端部に厚さ方向に段差状に屈曲形成された取付部が設けられている。取付部の取付穴にボルト１２を挿通し、耐火パネル１０内に埋設したインサートナット１３にねじ込むことにより、係止具１１が耐火パネル１０に取り付けられている。係止具１１の中央部と耐火パネル１０との間にはスリット状の隙間が形成され、その隙間内にパネル支持具８の差込片８３ａ、８３ｂを差し込んで、耐火パネル１０が係合保持される。
【００２２】
この内装パネル取付構造を構成する或いは内装パネルである耐火パネル１０を施工する際には、例えばブラケット５及び補助具６をセパレータ２の端部２ａに予め固定或いは必要に応じて固定し、補助具６の他片６２をパネル支持具８の取付基板８１と係止片８５の間に差し込み、取付基板８１と係止片８５とで他片６２を挟持させるようにして、パネル支持具８と補助具６とを取り付ける。そして、パネル支持具８の差込片８３ａ・８３ｂを隣接配置される耐火パネル１０・１０の隙間に差し込むことにより、耐火パネル１０を取り付ける。
【００２３】
第１実施形態では、パネル支持具８の挟持部を構成する取付基板７１と係止片７５で取付補助部の突出片を構成する補助具６の他片６２を挟持して取り付けることにより、セパレータ２の端部２ａを利用する耐火パネル１０の取り付けで、固定用の部品を減らし、容易且つスピーディな施工作業を可能にすることができる。また、補助具６にパネル支持具８と固定するためのボルト挿入孔を形成する必要がなくなり、部材の加工作業の労力を低減することができる。また、パネル支持具８を補助具６に対する任意の位置で取り付けることができる。また、上記構成の取付基板７１と係止片７５と補助具６の他片６２により、パネル支持具８や耐火パネル１０をより安定して設置することができる。
【００２４】
〔第２実施形態の鋼殻構造物の内装パネル取付構造及び内装パネル施工方法〕
次に、本発明による第２実施形態の鋼殻構造物の内装パネル取付構造及び内装パネル施工方法について説明する。図５は第２実施形態の鋼殻構造物の内装パネル取付構造における図３に相当する部位の拡大図である。
【００２５】
第２実施形態では、第１実施形態のブラケット５と補助具６とで構成される取付補助部に代え、図５に示すように、所定位置のセパレータ２に端部２ａに一体型の断面視略Ｚ字形状の補助具９が取付補助部として設けられている。補助具９は、所要強度を有する金属製等で、断面視略Ｚ字形状の長尺の棒状部材であり、基板９１と、基板９１の幅方向の一方の端縁から略直角に屈曲して突出する一方の突出片９２と、基板９１の幅方向の前記一方の端縁と逆側の端縁から略直角に屈曲して突出する他方の突出片９３とから構成される。
【００２６】
補助具９の一方の突出片９２には図示省略する貫通穴が所定間隔で形成されており、一方の突出片９２はセパレータ２の端部２ａを前記貫通穴に貫通させて、例えば鋼殻１ｂから離間して或いは当接して設けられるナット１４及びこれと当接するワッシャー１４１の外側で端部２ａにはめられる。そして、セパレータ２の端部２ａにおける補助具９の一方の突出片９２の外側には、ワッシャー１５１を介してナット１５が螺子溝２ｂに螺合して設けられ、一方の突出片９２は一対のナット１４、１５で挟持されて端部２ａに固定される。また、取付補助部の突出片を構成する補助具９の他方の突出片９３は、パネル支持具８の取付基板８１と係止片８５との間に差し込まれ、挟持部を構成する取付基板８１と係止片８５とで挟持されて、パネル支持具８と補助具９とが取り付けられる。その他の構成は第１実施形態と同様である。
【００２７】
この内装パネル取付構造を構成する或いは内装パネルである耐火パネル１０を施工する際には、例えば補助具９をセパレータ２の端部２ａに予め固定或いは必要に応じて固定し、補助具９の他方の突出片９３をパネル支持具８の取付基板８１と係止片８５の間に差し込み、取付基板８１と係止片８５とで他方の突出片９３を挟持させるようにして、パネル支持具８と補助具９とを取り付ける。そして、パネル支持具８の差込片８３ａ・８３ｂを隣接配置される耐火パネル１０・１０の隙間に差し込むことにより、耐火パネル１０を取り付ける。
【００２８】
第２実施形態は、第１実施形態と同様の効果を有することに加え、取付補助部をブラケット５と補助具６とこれらを固定するボルト７１、ナット７２等で構成する場合に必要になるこれらの部品を不要にすることができ、一層部品点数を減らし、より容易且つスピーディな施工作業が可能となる。また、一対のナット１４・１５の螺合で補助具９の一方の突出片９２を挟持することにより、セパレータ端部２ａにおける一対のナット１４、１５の螺合位置を調整して補助具９の取付位置を調整し、耐火パネル１０の設置位置を調整することが可能となる。尚、断面視略Ｚ字形状の補助具は、複数の部材で構成される別体型とすることも可能である。
【００２９】
〔実施形態の変形例等〕
本明細書開示の発明には、各発明や実施形態等の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、例えば下記のような変形例も包含される。
【００３０】
例えば本発明におけるパネル支持具は、上記実施形態のパネル支持具８の形状に限定されず、例えば図６（ａ）、（ｂ）に示す形状としてもよい。図６（ａ）のパネル支持具１６は、所要強度を有する金属製等で、断面視で概略Ω字形状の部材であり、耐火パネル１０のパネル面と略並行に設けられる取付基板１６１と、取付基板１６１の両側端縁からそれぞれ略直角に屈曲して耐火パネル１０側に延びる内側突出部１６２ａ、１６２ｂと、内側突出部１６２ａ、１６２ｂの各端縁から略直角に屈曲して外側に延びる差込片１６３・１６３と、一方の内側突出部１６２ａの中央部分から内側突出部８２ａと逆側に延びる外側突出部１６４と、外側突出部１６４の端縁から略直角に屈曲して取付基板１６１側に延びる係止片１６５とを有し、取付基板１６１に対して略並行に形成される係止片１６５と取付基板１６１とで補助具６の他片６２或いは補助具９の他方の突出片９３を挟持する挟持部を構成する。取付基板１６１の外側突出部１６４と係止片１６５に対応する位置には開口１６６が形成されており、外側突出部１６４と係止片１６５は、例えば取付基板１６１にコ字形の切込を形成し、この切込で囲まれる部分を屈曲して形成される。
【００３１】
図６（ａ）のパネル支持具１６では、取付基板１６１と係止片１６５とが対向せずに交互に設けられ、係止片１６５に対向する開口１６６内に他片６２或いは他方の突出片９３を付勢するようにして挟持することができるので、他片６２或いは他方の突出片９３を安定して保持することができる。尚、係止片１６５の延びる方向の長さに対応する挟持領域に長さは上記実施形態と同様に設定することができる。
【００３２】
また、図６（ｂ）のパネル支持具１７は、所要強度を有する金属製等で、断面視で概略Ω字形状の部材であり、耐火パネル１０のパネル面と略並行に設けられる取付基板１７１と、取付基板１７１の両側端縁からそれぞれ略直角に屈曲して耐火パネル１０側に延びる内側突出部１７２ａ、１７２ｂと、内側突出部１７２ａ、１７２ｂの各端縁から略直角に屈曲して外側に延びる差込片１７３・１７３と、一方の内側突出部１７２ａの両側部分から内側突出部１７２ａと逆側に延びる幅広の外側突出部１７４ａ及び幅狭の外側突出部１７４ｂと、外側突出部１７４ａ、１７４ｂの各端縁から略直角に屈曲して取付基板１７１側に延びる幅広の係止片１７５ａ及び幅狭の係止片１７５ｂとを有し、取付基板１７１に対して略並行に形成される係止片１７５ａ、１７５ｂと取付基板１７１とで、補助具６の他片６２或いは補助具９の他方の突出片９３を挟持する挟持部を構成する。取付基板１７１の外側突出部１７４ａ、１７４ｂ及び係止片１７５ａ、１７５ｂに対応する位置には切欠き１７６が形成されており、外側突出部１７４ａ、１７４ｂ及び係止片１７５ａ、１７５ｂは、例えば取付基板１７１に切欠き１７６の部分の一部或いは全部を屈曲して形成される。尚、外側突出部１７４ａ、１７４ｂの幅、係止片１７５ａ、１７５ｂの幅は、それぞれ同一の幅としてもよい。
【００３３】
図６（ｂ）のパネル支持具１７では、取付基板１７１と係止片１７５ａ、１７５ｂとが対向せずに交互に設けられ、係止片１７５ａ、１７５ｂに対向する切欠き１７６内に他片６２或いは他方の突出片９３を付勢するようにして挟持することができるので、他片６２或いは他方の突出片９３を安定して保持することができる。尚、係止片１７５ａ、１７５ｂの延びる方向の長さに対応する挟持領域に長さは上記実施形態と同様に設定することができる。
【００３４】
また、棒状のセパレータ２は全周に亘って螺子溝を有する全ねじボルトとしてもよい。また、係止具１１は取付補助部及びパネル支持具８等を介して取り付け可能な位置であれば耐火パネル１０の適宜の位置に設けることが可能である。また、内装パネルは耐火パネル１０以外の各種の内装パネルとすることが可能である。
【００３５】
また、図７に示す第１実施形態の変形例として、セパレータ２の一方の端部２ａが一方側の鋼殻１ｂを貫通して外側であるトンネル空間側に突出し、その突出部分に角座金２００とブラケット５の一片５１がはめられ、更に、より端部側の螺子溝２ｂにワッシャー４１を介してナット４が螺合され、ナット４で鋼殻１ｂが外側から押さえられる構成としてもよい。この例では、セパレータ２に角座金２００を有する鋼殻１ｂにおいて防錆剤が塗布されている場合に、セパレータ２の角座金２００がついた状態を維持し、防錆剤のない箇所が生ずることを防止できると共に、角座金２００の取り外しの手間をなくすことができる。
【産業上の利用可能性】
【００３６】
本発明は、鋼殻沈埋トンネル等の鋼殻構造物に内装パネルを取り付ける場合に利用することができる。
【符号の説明】
【００３７】
１…鋼殻沈埋トンネル  １ａ、１ｂ、１０１…鋼殻  １ｃ…固結材  ２…棒状のセパレータ  ２ａ、１０３ａ…端部  ２ｂ…螺子溝  ３、４、７２、１４、１５、１０４ｂ、１０６ｃ、１０８ｃ…ナット  ４１、７３、１４１、１５１、１０４ａ、１０６ｂ、１０８ｂ…ワッシャー  ５、１０２…ブラケット  ５１、１０２ａ、６１、１０５ａ…一片  ５２、１０２ｂ、６２、１０５ｂ…他片  ６…補助具  ７１、１２、１１０、１０６ａ、１０８ａ…ボルト  ８、１６、１７…パネル支持具  ８１、１６１、１７１…取付基板  ８２ａ、８２ｂ、１６２ａ、１６２ｂ、１７２ａ、１７２ｂ…内側突出部  ８３ａ、８３ｂ、１６３、１７３…差込片  ８４、１６４、１７４ａ、１７４ｂ…外側突出部  ８５、１６５、１７５ａ、１７５ｂ…係止片  １６６…開口  １７６…切欠き  ９…補助具  ９１…基板  ９２…一方の突出片  ９３…他方の突出片  １０…耐火パネル  １１…係止具  １３…インサートナット  １０３…セパレータ  １０５…補助金具  １０７…パネル支持金具  １０７ａ…基部  １０７ｂ…差込片  １０９…内装パネル  １１１…係止金具  ２００…角座金  Ｔ…トンネル構造体  Ｓ１〜Ｓ５…トンネル空間
【図１】
2011157746.tif 000003
【図２】
2011157746.tif 000004
【図３】
2011157746.tif 000005
【図４】
2011157746.tif 000006
【図５】
2011157746.tif 000007
【図６】
2011157746.tif 000008
【図７】
2011157746.tif 000009